(57)【要約】      （修正有）【課題】耐用性に優れ、且つ有効に洗浄できる出水緩圧濾過装置の提供。【解決手段】出水設備に取り付けることができる連結枠３と、連結枠３に連結されている濾過部材４とを含む出水緩圧濾過装置であって、連結枠３は、出水設備からの出水が流入する入水口３３と、入水口３３と連通していると共に濾過部材４によって覆われている出水口とが形成されており、濾過部材４は、複数の金属粒子４１が相互に結合することで形成されていると共に、それぞれ隣り合う金属粒子間４１の空隙が連続してなった複数の濾過孔４２を有し、出水設備からの出水が濾過孔４２を通過してから排出されるように構成されていることを特徴とする。【選択図】図２
0003199531.tif 000002
【実用新案登録請求の範囲】
【請求項１】
出水設備に取り付けることができる連結枠と、前記連結枠に連結されている濾過部材とを含む出水緩圧濾過装置であって、
前記連結枠は、該出水設備からの出水が流入する入水口と、前記入水口と連通していると共に前記濾過部材によって覆われている出水口とが形成されており、
前記濾過部材は、複数の金属粒子が相互に結合することで形成されていると共に、それぞれ隣り合う前記金属粒子間の空隙が連続してなった複数の濾過孔を有し、
前記出水設備からの出水が前記濾過孔を通過してから排出されるように構成されていることを特徴とする出水緩圧濾過装置。
【請求項２】
前記濾過部材は、前記金属粒子が焼結によって相互に結合して形成されたものであることを特徴とする請求項１記載の出水緩圧濾過装置。
【請求項３】
前記濾過部材を形成する各前記金属粒子は、粒径が４０μｍ、７０μｍ、１００μｍまたは１４０μｍのいずれかであることを特徴とする請求項２記載の出水緩圧濾過装置。
【請求項４】
前記濾過部材は、一端に開口部を有するコップ形に形成されていて、前記開口部が前記連結枠に連結されていることを特徴とする請求項１〜３のいずれか一項に記載の出水緩圧濾過装置。
【請求項５】
前記連結枠は、前記入水口を形成する内周壁と、前記内周壁の反対側にある外周壁と、該出水設備に取り付けることができる連結部とを有しており、
前記連結部は、前記外周壁に形成される雄ねじ、または前記内周壁に形成される雌ねじのいずれか１種であることを特徴とする請求項１記載の出水緩圧濾過装置。
【請求項６】
前記濾過部材を形成する前記金属粒子は、真鍮またはステンレスであることを特徴とする請求項１〜３のいずれか一項に記載の出水緩圧濾過装置。
【請求項７】
前記連結枠は、前記濾過部材と同じ材料から構成されていることを特徴とする請求項６記載の出水緩圧濾過装置。
【考案の詳細な説明】
【技術分野】
【０００１】
本考案は出水の緩圧濾過装置に関し、特に、出水設備に取り付けることができる出水緩圧濾過装置に関する。
【背景技術】
【０００２】
一般的に住宅用水の給水は、配水管からポンプを経て高置水槽に貯水し、重力によって低所にある水栓などの出水設備に給水する、またはポンプで増圧し、直接水栓に給水を行う。このような水栓からの出水は、住宅における給水管の設計や配置によっては水圧が強まり、そして流速が速すぎる状態で放たれると、水跳ねを発生させ使用者にとって好ましくない場合もある。また、配水管を通った水には不要な不純物が含まれることもある。そのため、濾過器や浄水器などを取り付けて改善を図ることも少なくはない。
【０００３】
図１に示されたように、水栓である出水設備１０に取り付けることができる従来の濾過器１１は、出水設備１０に取り付けて出水設備１０からの出水を流入させる連結枠１３と、連結枠１３を覆うように連結枠１３に接合されて出水設備１０からの出水を濾過する濾過海綿１２とを備えている。濾過海綿１２は、例えば人造スポンジなど柔軟で伸縮性のある材料によって構成されたもので、出水設備１０からの出水を分散させて流速を緩めると共に、不純物を濾過して内側に残留させ、そして濾過された水を放出することができる。
【０００４】
しかし、従来使用される濾過海綿１２は軟質のものであるため、出水の圧力を繰り返し受けることで構造が段々と弱まり、機能も劣化するので、長期の使用に耐えないことが多い。しかも、海綿質であるために濾過海綿１２は、濾過した不純物が内部に入り込み易いので、洗浄が困難であり、そして不純物が入り込む程、濾過の機能が劣化する。
【考案の概要】
【考案が解決しようとする課題】
【０００５】
上記問題点に鑑みて、本考案はより耐久性が優れ、且つ有効に洗浄できる出水緩圧濾過装置の提供を目的とする。
【課題を解決するための手段】
【０００６】
上記目的を達成すべく、本考案は、出水設備に取り付けることができる連結枠と、前記連結枠に連結されている濾過部材とを含む出水緩圧濾過装置であって、前記連結枠は、該出水設備からの出水が流入する入水口と、前記入水口と連通していると共に前記濾過部材によって覆われている出水口とが形成されており、前記濾過部材は、複数の金属粒子が相互に結合することで形成されていると共に、それぞれ隣り合う前記金属粒子間の空隙が連続してなった複数の濾過孔を有し、前記出水設備からの出水が前記濾過孔を通過してから排出されるように構成されていることを特徴とする出水緩圧濾過装置を提供する。
【考案の効果】
【０００７】
上記構成によれば、本考案の出水緩圧濾過装置は、前記濾過部材が、複数の金属粒子が相互に結合することで形成されていると共に、それぞれ隣り合う前記金属粒子間の空隙が連続してなった複数の濾過孔を有し、前記出水設備からの出水が前記濾過孔を通過してから排出されるように構成されていることで、優れた構造強度および耐用性を有する。また、各金属粒子の粒径次第で微小な濾過孔を形成することができるので、優れた緩圧や濾過効果を発揮でき、そして金属の堅牢性によって不純物が内部に入り込み難いので、有効に洗浄して再利用できる。
【図面の簡単な説明】
【０００８】
【図１】出水設備に取り付ける従来の濾過器が示される斜視図である。
【図２】本考案の出水緩圧濾過装置の実施形態が示される斜視図である。
【図３】本考案の実施形態が示される側面図である。
【図４】本考案の実施形態を出水設備に取り付ける第１の応用例が示される斜視図である。
【図５】本考案の実施形態を別種の出水設備に取り付ける第２の応用例が示される斜視図である。
【図６】本考案の実施形態を別種の出水設備に取り付ける第３の応用例が示される斜視図である。
【図７】本考案の実施形態を別種の出水設備に取り付ける第４の応用例が示される斜視図である。
【図８】本考案の実施形態を別種の出水設備に取り付ける第５の応用例が示される斜視図である。
【考案を実施するための形態】
【０００９】
以下では主に図２〜図４を参照しながら、本考案の出水緩圧濾過装置の好ましい実施形態について詳しく説明する。本考案の出水緩圧濾過装置は、水栓である出水設備２に取り付けることができる連結枠３と、連結枠３に連結されている濾過部材４とを含む。
【００１０】
連結枠３は、出水設備２からの出水が流入する入水口３３と、入水口３３と連通していると共に濾過部材４によって覆われている出水口３４とが形成されており、そして入水口３３および出水口３４を形成する内周壁３２と、内周壁３２の反対側にある外周壁３１と、出水設備２に取り付けることができる連結部３５とを有する。本実施形態における連結部３５は、外周壁３１に形成される雄ねじ（図示せず）であり、出水設備２にある出口に内側から螺合する。だが、本考案は当実施形態に制限されず、出水設備２の出口に外側から螺合するよう、雌ねじとして内周壁３２に形成されることもある。
【００１１】
濾過部材４は、一端に開口部４３を有するコップ形に形成されていて、開口部４３が連結枠３の出水口３４を覆うように連結枠３に連結されている。また、濾過部材４は、複数の金属粒子４１が相互に結合することで形成されていると共に、それぞれ隣り合う金属粒子４１間の空隙が非直線に連続してなった複数の濾過孔４２を有し、そして出水設備２からの出水が濾過孔４２を通過してから排出されるように構成されている。各濾過孔４２は、空隙が非直線に連続してなったことで、出水の流れを分散させたり蛇行させたりして、緩圧させやすい。なお、濾過部材４は、コップ形に形成されて長く延伸することで、出水設備２の口径に合わせることができる上により多くの濾過孔４２を有することができる。だが、本実施形態に制限されず、濾過部材４の形状は適宜変更可能である。
【００１２】
更に濾過部材４は、金属粒子４１が焼結によって相互に溶接結合して形成されたものであるため、出水の圧力を繰り返し受けても構造劣化しない。なお、焼結用の原料である各金属粒子４１は、粒径が４０μｍ、７０μｍ、１００μｍまたは１４０μｍのいずれかに形成されることが好ましい。また、連結枠３と濾過部材４は、共に真鍮で構成され、そして互いに拡散接合法により溶接されて作成される。だが、当実施形態に制限されず、濾過部材４は更に、使用環境によって耐蝕、防錆や装飾などの目的で鍍金を施すこともあり、各金属粒子４１も異なる水圧と流速の出水に応じて上述の粒径以外のものを採用することもでき、あるいは粒径が異なるものを混合して形成されることもできる。そして連結枠３と濾過部材４も上述の材料に限らず例えばステンレスから構成されることもできる。
【００１３】
図４の第１の応用例に示されたように、本考案の出水緩圧濾過装置は出水設備２からの出水を、濾過部材４の各金属粒子４１によって阻んで水圧と流速を緩め、そして濾過孔４２によって濾過して排出することで、濾過や水跳ね防止の効果を発揮し、より快適な用水を提供することができる。なお、使用を経て濾過部材４の内側に残留した不純物は、本考案の出水緩圧濾過装置を出水設備２から取り外し、ブラシなどの器具で磨き、表面に絡み付く不純物を取り払い、そして濾過部材４の外側から内側へ水を逆濾過方向に流し、濾過孔４２に引っ掛かった不純物を洗い出すことで有効に洗浄できる。
【００１４】
また、図５〜図８に示されたように、本考案の出水緩圧濾過装置は、多種多様な出水設備２に応用されて取り付けることができる。図５の第２の応用例における延伸形の水栓、図６の第３の応用例における洗面台用の水栓、図７の第４の応用例における台所用の水栓、もしくは図８の第５の応用例における混合水栓など様々な出水設備２に応用可能である。
【００１５】
以上を統括すると、本考案の出水緩圧濾過装置は濾過部材４が、複数の金属粒子４１が焼結されて相互に溶接結合されることで構成されたため、出水設備２からの出水が高圧であっても、出水による損耗を凌げる優秀な構造強度および耐用性を持つようになる。更に本考案の出水緩圧濾過装置は、濾過部材４の濾過孔４２が非直線に連続してなったので、出水設備２の出水を分散および蛇行させて緩圧させ易く、且つ濾過部材４が長く延伸するコップ形であるため、多くの濾過孔４２が形成され、更なる濾過効果をもたらすことができる。そして、本考案の出水緩圧濾過装置は、優秀な構造強度による堅牢性を有するため、出水に混ざる不要な不純物を濾過部材４の内部に入り込み難いので、ブラシをかけたり逆濾過方向に水を流したりして有効に洗浄して再利用できる。
【００１６】
以上、本考案の好ましい実施形態を説明したが、本考案はこれに限定されるものではなく、その要旨を逸脱しない範囲で種々変更可能である。
【産業上の利用可能性】
【００１７】
本考案の出水緩圧濾過装置は、家庭用の出水設備、例えば台所、洗面台、浴室などの蛇口に取り付けて利用することができ、優れた耐久性があるため、交換頻度を大幅に減少することができる。
【符号の説明】
【００１８】
２    出水設備
３    連結枠
３１  外周壁
３２  内周壁
３３  入水口
３４  出水口
３５  連結部
４    濾過部材
４１  金属粒子
４２  濾過孔
４３  開口部
【図１】
0003199531.tif 000003
【図２】
0003199531.tif 000004
【図３】
0003199531.tif 000005
【図４】
0003199531.tif 000006
【図５】
0003199531.tif 000007
【図６】
0003199531.tif 000008
【図７】
0003199531.tif 000009
【図８】
0003199531.tif 000010